(57)【要約】 【課題】    外面を適宜キャラクター等を模った装飾用カバーで覆うことにより、興趣性の向上化を図った錠前を提供するものである。【解決手段】  下面から鍵が差し込まれ上面に設けられている施錠用シャックルａに対する解錠操作が行われるように構成した既存の錠前Ａの前面及び背面に対して、キャラクターのような所要の図形を模った装飾用カバー１を取付けるように構成した錠前。【選択図】  図１
0003127286.tif 000002
【実用新案登録請求の範囲】
【請求項１】
下面から鍵が差し込まれ上面に設けられている施錠用シャックル(ａ)に対する解錠操作が行われるように構成した既存の錠前Ａの前面及び背面に対して、キャラクターのような所要の図形を模った装飾用カバー(１)を取付けるように構成した錠前。
【請求項２】
下面から鍵が差し込まれ上面に設けられている施錠用シャックル(ａ)に対する解錠操作が行われるように構成した既存の錠前(Ａ)の前面及び背面に対して、キャラクターのような所要の図形を模りかつ前面側カバー体(1ａ)と背面側カバー体(1ｂ)とに分割形成した装飾用カバー(１)を、当該錠前(Ａ)の前後面に対して合致固定化するように構成した錠前。
【請求項３】
装飾用カバー(１)を非通電性の材料で形成して成る請求項１または請求項２の何れかに記載の錠前。
【考案の詳細な説明】
【技術分野】
【０００１】
本考案は、外面を適宜キャラクター等を模った装飾用カバーで覆うように構成した錠前に関する。
【背景技術】
【０００２】
従来の錠前として、図５に示すような南京錠がある。  すなわち、従来の錠前は金属製材料等で単純に形成しただけのものであり、その外周に例えば装飾用カバー等で覆うように構成したものは存在しなかった。
すなわち、鍵の場合は、そのキーヘッド部分にカバーを装着するもの（例えば、特許文献１参照。）、または、当該部分に導電性キャップを取り付けたもの（例えば、特許文献２参照。）等が存在するが、錠前自体に装飾性を付加した形態のものは皆無とされた。
【０００３】
【特許文献１】実開昭５２−２２３８８号公報
【特許文献２】実開昭６４−１９７６８号公報
【考案の開示】
【考案が解決しようとする課題】
【０００４】
上述したように、金属製材料等で単純に形成しただけの従来の錠前であると、冷たい無機質的なイメージが想起され、例えば日記帳、貴重品等を入れておくための小箱、または引出し等に対して用いた場合、デザイン的温かさを欠き、違和感を醸し出してしまうというようなマイナス面が伴った。
【０００５】
本考案は、適宜のキャラクターを模した外装材で錠前全体を覆うことにより、外観的に錠前からもたらされるマイナスイメージを隠蔽し、極めて温かい興趣性に富んだ錠前として機能させ、もって、上記したような従来の錠前における問題点の解消化を図ったものである。
【課題を解決するための手段】
【０００６】
本考案は、下面から鍵が差し込まれ上面に設けられている施錠用シャックルａに対する解錠操作が行われるように構成した既存の錠前Ａの前面及び背面に対して、キャラクターのような所要の図形を模った装飾用カバー１を取付けるように構成した錠前に係るものである。
【０００７】
そして、請求項２に記載のように、下面から鍵が差し込まれ上面に設けられている施錠用シャックルａに対する解錠操作が行われるように構成した既存の錠前Ａの前面及び背面に対して、キャラクターのような所要の図形を模りかつ前面側カバー体1ａと背面側カバー体1ｂとに分割形成した装飾用カバー１を、当該錠前Ａの前後面に対して合致固定化するように構成することもできる。
【０００８】
更に、請求項３に記載のように、装飾用カバー１を非通電性の材料で形成して成る請求項１または請求項２の何れかに記載の錠前を実施の態様とするものである。
【考案の効果】
【０００９】
本考案に係る錠前は、請求項１に記載したような構成、すなわち、下面から鍵が差し込まれ上面に設けられている施錠用シャックルａに対する解錠操作が行われるように構成した既存の錠前Ａの前面及び背面に対して、キャラクターのような所要の図形を模った装飾用カバー１を取付けるように構成したから、錠前という製品自体が固有する無機質性からもたらされる冷徹性が解消され、キャラクター等適宜の図形がもたらす温かみが醸し出されることとなる。  従って、プライベートルーム等で用いる日記、記念品、貴重品等を入れておくための小箱または引出し用錠前として用いた場合、一種のアクセサリー的役割を果たすこととなる。  従って、本考案に係る錠前は、前記以外に、例えばバッグ、自転車のチェーン等アウトドアー製品に対する錠前としても極めて興趣性に富んだものとされる。
【００１０】
本考案に係る錠前は、請求項２に記載のような構成、すなわち、下面から鍵が差し込まれ上面に設けられている施錠用シャックルａに対する解錠操作が行われるように構成した既存の錠前Ａの前面及び背面に対して、キャラクターのような所要の図形を模りかつ前面側カバー体1ａと背面側カバー体1ｂとに分割形成した装飾用カバー１を、当該錠前Ａの前後面に対して合致固定化するように構成したから、前記したような興趣性向上効果と共に、錠前Ａは同一とするが、装飾用カバー１として各種のキャラクター図形のものを予め製造しておけば、注文に応じて所定のキャラクター図形の装飾用カバー１をその都度固定化することにより、製造の合理性が図られることとなる。  従って、事前に各種キャラクターのものを完成化させておいた場合に生じる不人気商品の残存と言うような問題発生を回避することが出来る。
【００１１】
本考案に係る錠前は請求項３に記載のような構成、すなわち、装飾用カバー１を非通電性の材料で形成することにより、静電気によるスパーク発生というような問題を防止することとなる。
【考案を実施するための最良の形態】
【００１２】
図に於いて、Ａは錠前であって、下面から鍵が差し込まれ、上面に設けられている施錠用シャックルａに対する解錠操作が行われるように構成されたものであり、これは所謂南京錠と呼ばれている既存の錠前に属する。  そして本考案は、このような既存の錠前Ａに対して、その外周面に装飾用カバー１を取付けたことを特徴とするものである。
【００１３】
上記した装飾用カバー１であるが、これは、前面側カバー体1ａと背面側カバー体1ｂとに分割形成したものである。  そして、当該装飾用カバー１は、錠前Ａに対して、上面部からシャツクルａを露出させた状態にしてかつ下面から鍵を差し込むことが出来るような形態で合致固定化するように構成してある。  すなわち、前面側カバー体1ａと背面側カバー体1ｂとを、錠前Ａの前後面部に対して被せた状態で合致化させることにより、当該錠前Ａは上面部と下面部を除き完全なる隠蔽状態に保たれるように構成してある。
【００１４】
そして、同該装飾用カバー１の形状は、図示のようなクマの顔を模った形状、或いは適宜のキャラクターを模った形状、花等植物を模った形状等適宜な図形を選定すればよいものであり、その種類は特に制限性は存在しない。  然し乍、錠前Ａがようやく隠れる程度の大きさを具えたものとすることが好ましい。  また、装飾用カバー１の形成材料であるが、プラスチック製、ゴム製、木材製等非通電性の材料を用いることにより、錠前に対して帯電静電気がスパークさせられることを防止することが出来るが、本考案はこのような材料的制限は存在せず、木製、陶器製等任意の材料であって可とする。
【００１５】
なお、錠前Ａに対する装飾用カバー1の形成は、前面側カバー体1ａと背面側カバー体1ｂを別途成形したものを、既存の錠前Ａに対して合致させて貼り合わせるようにすることを通例とするが、錠前Ａを芯材とするような形態で装飾用カバー１を一括して射出成形するように構成しても良い。  すなわち、本考案にあってはその製造的手段を特徴とするものではない。
【００１６】
本考案の使用は通常の錠前と同様にして行うものであり、錠前Ａの底面ら鍵を差し込んで解錠操作を行い。  施錠操作は上面から突出しているシャックルａの回動及び差し込みに基づき行われることは、既存の錠前と同様である。  そして、装飾用カバー１はあくまでもデザイン的効果を奏するにものであり、施錠及び解錠操作に影響するものではない。
【図面の簡単な説明】
【００１７】
【図１】本考案の正面図である。
【図２】本考案の背面図である。
【図３】本考案の説明用縦断面図である。
【図４】本考案の説明用横断面図である。
【図５】従来の錠前を表した正面図である。
【符号の説明】
【００１８】
Ａ  錠前
ａ  シャックル
１  装飾用カバー
1a  前面側カバー体
1b  背面側カバー体
【図１】
0003127286.tif 000003
【図２】
0003127286.tif 000004
【図３】
0003127286.tif 000005
【図４】
0003127286.tif 000006
【図５】
0003127286.tif 000007
【手続補正書】
【提出日】平成18年9月27日(2006.9.27)
【手続補正１】
【補正対象書類名】実用新案登録請求の範囲
【補正対象項目名】全文
【補正方法】変更
【補正の内容】
【実用新案登録請求の範囲】
【請求項１】
下面から鍵が差し込まれ上面に設けられている施錠用シャックル(ａ)に対する解錠操作が行われるように構成した錠前Ａの前面及び背面に対して、キャラクターのような所要の図形を模った装飾用カバー(１)を取付けるように構成した錠前。
【請求項２】
下面から鍵が差し込まれ上面に設けられている施錠用シャックル(ａ)に対する解錠操作が行われるように構成した錠前(Ａ)の前面及び背面に対して、キャラクターのような所要の図形を模りかつ前面側カバー体(1ａ)と背面側カバー体(1ｂ)とに分割形成した装飾用カバー(１)を、当該錠前(Ａ)の前後面に対して合致固定化するように構成した錠前。
【請求項３】
装飾用カバー(１)を非通電性の材料で形成して成る請求項１または請求項２の何れかに記載の錠前。
【手続補正２】
【補正対象書類名】明細書
【補正対象項目名】全文
【補正方法】変更
【補正の内容】
【考案の詳細な説明】
【技術分野】
【０００１】
本考案は、適宜キャラクター等を模った装飾用カバーで外面を覆うように構成した錠前に関する。
【背景技術】
【０００２】
従来の錠前として、図５に示すような南京錠がある。  すなわち、従来の錠前は金属製材料等で単純に形成しただけのものであり、その外周に例えば装飾用カバー等で覆うように構成したものは存在しなかった。
すなわち、鍵の場合は、そのキーヘッド部分にカバーを装着するもの（例えば、特許文献１参照。）、または、当該部分に導電性キャップを取り付けたもの（例えば、特許文献２参照。）等が存在するが、錠前自体に装飾性を付加した形態のものは皆無とされた。
【０００３】
【特許文献１】実開昭５２−２２３８８号公報
【特許文献２】実開昭６４−１９７６８号公報
【考案の開示】
【考案が解決しようとする課題】
【０００４】
上述したように、金属製材料等で単純に形成しただけの従来の錠前であると、冷たい無機質的なイメージが想起され、例えば日記帳、貴重品等を入れておくための小箱、または引出し等に対して用いた場合、デザイン的温かさを欠き、違和感を醸し出してしまうというようなマイナス面が伴った。
【０００５】
本考案は、適宜のキャラクターを模した外装材で錠前全体を覆うことにより、外観的に錠前からもたらされるマイナスイメージを隠蔽し、極めて温かい興趣性に富んだ錠前として機能させ、もって、上記したような従来の錠前における問題点の解消化を図ったものである。
【課題を解決するための手段】
【０００６】
本考案は、下面から鍵が差し込まれ上面に設けられている施錠用シャックルａに対する解錠操作が行われるように構成した錠前Ａの前面及び背面に対して、キャラクターのような所要の図形を模った装飾用カバー１を取付けるように構成した錠前に係るものである。
【０００７】
そして、請求項２に記載のように、下面から鍵が差し込まれ上面に設けられている施錠用シャックルａに対する解錠操作が行われるように構成した錠前Ａの前面及び背面に対して、キャラクターのような所要の図形を模りかつ前面側カバー体1ａと背面側カバー体1ｂとに分割形成した装飾用カバー１を、当該錠前Ａの前後面に対して合致固定化するように構成することもできる。
【０００８】
更に、請求項３に記載のように、装飾用カバー１を非通電性の材料で形成して成る請求項１または請求項２の何れかに記載の錠前を実施の態様とするものである。
【考案の効果】
【０００９】
本考案に係る錠前は、請求項１に記載したような構成、すなわち、下面から鍵が差し込まれ上面に設けられている施錠用シャックルａに対する解錠操作が行われるように構成した錠前Ａの前面及び背面に対して、キャラクターのような所要の図形を模った装飾用カバー１を取付けるように構成したから、錠前という製品自体が固有する無機質性からもたらされる冷徹性が解消され、キャラクター等適宜の図形がもたらす温かみが醸し出されることとなる。  従って、プライベートルーム等で用いる日記、記念品、貴重品等を入れておくための小箱または引出し用錠前として用いた場合、一種のアクセサリー的役割を果たすこととなる。  従って、本考案に係る錠前は、前記以外に、例えばバッグ、自転車のチェーン等アウトドアー製品に対する錠前としても極めて興趣性に富んだものとされる。
【００１０】
本考案に係る錠前は、請求項２に記載のような構成、すなわち、下面から鍵が差し込まれ上面に設けられている施錠用シャックルａに対する解錠操作が行われるように構成した錠前Ａの前面及び背面に対して、キャラクターのような所要の図形を模りかつ前面側カバー体1ａと背面側カバー体1ｂとに分割形成した装飾用カバー１を、当該錠前Ａの前後面に対して合致固定化するように構成したから、前記したような興趣性向上効果と共に、錠前Ａは同一とするが、装飾用カバー１として各種のキャラクター図形のものを予め製造しておけば、注文に応じて所定のキャラクター図形の装飾用カバー１をその都度固定化することにより、製造の合理性が図られることとなる。  従って、事前に各種キャラクターのものを完成化させておいた場合に生じる不人気商品の残存と言うような問題発生を回避することが出来る。
【００１１】
本考案に係る錠前は請求項３に記載のような構成、すなわち、装飾用カバー１を非通電性の材料で形成することにより、静電気によるスパーク発生というような問題を防止することとなる。
【考案を実施するための最良の形態】
【００１２】
図に於いて、Ａは錠前であって、下面から鍵が差し込まれ、上面に設けられている施錠用シャックルａに対する解錠操作が行われるように構成されたものであり、これは所謂南京錠と呼ばれている既存の錠前に属する。  そして本考案は、このような錠前Ａに対して、その外周面に装飾用カバー１を取付けたことを特徴とするものである。
【００１３】
上記した装飾用カバー１であるが、これは、前面側カバー体1ａと背面側カバー体1ｂとに分割形成したものである。  そして、当該装飾用カバー１は、錠前Ａに対して、上面部からシャックルａを露出させた状態にしてかつ下面から鍵を差し込むことが出来るような形態で合致固定化するように構成してある。  すなわち、前面側カバー体1ａと背面側カバー体1ｂとを、錠前Ａの前後面部に対して被せた状態で合致化させることにより、当該錠前Ａは上面部と下面部を除き完全なる隠蔽状態に保たれるように構成してある。
【００１４】
そして、同該装飾用カバー１の形状は、図示のようなクマの顔を模った形状、或いは適宜のキャラクターを模った形状、花等植物を模った形状等適宜な図形を選定すればよいものであり、その種類は特に制限性は存在しない。  然し乍、錠前Ａがようやく隠れる程度の大きさを具えたものとすることが好ましい。  また、装飾用カバー１の形成材料であるが、プラスチック製、ゴム製、木材製等非通電性の材料を用いることにより、錠前に対して帯電静電気がスパークさせられることを防止することが出来るが、本考案はこのような材料的制限は存在せず、木製、陶器製等任意の材料であって可とする。
【００１５】
なお、錠前Ａに対する装飾用カバー1の形成は、前面側カバー体1ａと背面側カバー体1ｂを別途成形したものを、既存の錠前Ａに対して合致させて貼り合わせるようにすることを通例とするが、錠前Ａを芯材とするような形態で装飾用カバー１を一括して射出成形するように構成しても良い。  すなわち、本考案にあってはその製造的手段を特徴とするものではない。
【００１６】
本考案の使用は通常の錠前と同様にして行うものであり、錠前Ａの底面ら鍵を差し込んで解錠操作を行い。  施錠操作は上面から突出しているシャックルａの回動及び差し込みに基づき行われることは、既存の錠前と同様である。  そして、装飾用カバー１はあくまでもデザイン的効果を奏するにものであり、施錠及び解錠操作に影響するものではない。
【図面の簡単な説明】
【００１７】
【図１】本考案の正面図である。
【図２】本考案の背面図である。
【図３】本考案の説明用縦断面図である。
【図４】本考案の説明用横断面図である。
【図５】従来の錠前を表した正面図である。
【符号の説明】
【００１８】
Ａ  錠前
ａ  シャックル
１  装飾用カバー
1a  前面側カバー体
1b  背面側カバー体